(57)【要約】      （修正有）【課題】吊り金具をデッキプレートの屋根側から同プレートに設けた設置孔へ挿入して取り付ける効果的な吊り金具の取付構造及び取付方法を提供する。【解決手段】デッキプレート２には、上向きに開口する凹溝２０が底部２１と底部の両端部から上方へ起立する側面部２２とで構成され、底部２１には設置孔２１ａが設けられ、吊り金具１は、天井部材３を連結するネジ部を有する吊り部と、吊り部と直交する方向へ延びる水平拡張部と、水平拡張部の左右端に凹溝の側面部２２と当接する支持部とで成り、吊り金具１は、その吊り部がデッキプレートの凹溝の設置孔２１ａへ上方位置から挿入されてデッキプレート２の下方へ突き出され、支持部が凹溝の両側面部２２と当接する状態で取り付けられる。【選択図】図１
2013083094.tif 000002
【特許請求の範囲】
【請求項１】
デッキプレートの上にコンクリートを打設しない屋根構造について、デッキプレートに設置孔を明けて天井部材を吊り下げ支持する吊り金具を取り付ける、吊り金具の取付構造であって、
前記デッキプレートには、上向きに開口する凹溝が底部と同底部の両端部から上方へ起立する側面部とで構成され、同底部には設置孔が設けられており、
前記吊り金具は、前記天井部材を連結するネジ部を有する吊り部と、同吊り部の頂部と連結され水平方向へ延びる水平拡張部と、同水平拡張部の左右端に前記凹溝の側面部と当接する支持部とで成ること、
上記吊り金具は、その吊り部が前記デッキプレートの凹溝の底部に設けられた設置孔へ上方位置から挿入されてデッキプレートの下方へ突き出され、前記支持部が凹溝の両側面部と当接する状態で取り付けられることを特徴とする、吊り金具の取付構造。
【請求項２】
デッキプレートの凹溝は、その側面部が下方に向かって拡幅する形状に傾斜されており、吊り金具の水平拡張部の左右端部に設けられた両支持部は、凹溝の底部側の幅広な側面部へ当接される当接部と、凹溝の開口側の減幅な側面部の幅以下となる導入部とが形成されていることを特徴とする、請求項１に記載した吊り金具の取付構造。
【請求項３】
デッキプレートの凹溝は、その側面部が下方に向かって減幅する形状に傾斜されており、吊り金具の支持部は、前記傾斜する側面部に沿って起立する羽根部を備えることを特徴とする、請求項１に記載した吊り金具の取付構造。
【請求項４】
デッキプレートの上にコンクリートを打設しない屋根構造について、デッキプレートに設置孔を明けて天井部材を吊り下げ支持する吊り金具を取り付ける、吊り金具の取付方法であって、
前記デッキプレートは、上向きに開口する凹溝が底部と同底部の両端部から上方へ起立する側面部とで構成され、同底部には設置孔を設けており、
前記吊り金具は、前記天井部材を連結するネジ部を有する吊り部と、同吊り部の頂部と連結され水平方向へ延びる水平拡張部と、同水平拡張部の左右端には凹溝の底部側の幅広な側面部へ当接される当接部と、凹溝の開口側の減幅な側面部の幅以下となる導入部とを有する支持部とで成り、
上記吊り金具は、その吊り部を前記デッキプレートの凹溝の底部に設けた設置孔へ上方位置から挿入し、前記水平拡張部を吊り部を中心に水平回動させて、その支持部の当接部が凹溝の側面部に当接する状態に取り付けていることを特徴とする、吊り金具の取付方法。
【発明の詳細な説明】
【技術分野】
【０００１】
この発明は、デッキプレートの上にコンクリートを打設しない屋根構造について、デッキプレートに設置孔を明けて天井部材を吊り下げ支持する吊り金具を取り付ける取付構造及びその取付方法の技術分野に属し、更に云うと、吊り金具をデッキプレートの上方位置（屋根側）から同プレートに設けた設置孔へ挿入して取り付ける構成とした吊り金具の取付構造及びその取付方法に関する
【背景技術】
【０００２】
従来、乾式屋根及び湿式屋根を構成するデッキプレートには、天井部材を吊り下げ支持する吊り金具が取り付けられている。例えば、デッキプレートの上方位置（屋根側）から吊り金具を取り付ける取付構造及び取付方法が数多く実用に供されており、下記の特許文献１、２に開示されている。  
前記特許文献１には、図１２Ａ、Ｂに示すように、吊り金具１５は、先端にフック部、基端に雄ねじが形成された係止部１５０ａを有する吊り部１５０と、同吊り部１５０を貫通する押さえ板１５１、収縮可能なアコーディオン状の筒体を有する締結部１５２とで構成されている。上記吊り金具１５は、デッキプレート１５３に設けられた設置孔へ、その吊り部１５０を先端から挿入したのち、同吊り部１５０を上方へ引っ張り上げると前記アコーディオン状の締結部１５２は伸張する。その状態で引っ張りをやめると吊り部１５０の係止部１５０ａがアコーディオン状の締結部１５２の各上面を押圧して吊り金具１５をデッキプレート１５３へ取り付けて固定するので、ボルト結合や工具による面倒な作業が無くとも容易に行える点が記載されている。
【０００３】
また、特許文献２には、図１３、図１４に示すように、吊り金具１６は、ねじ孔１６０ａが形成された筒体１６０と、その上部に形成された笠状ヘッド１６１で成るインナ部材１６２と、デッキプレート１６３の設置孔１６３ａ縁近傍に載る顎状ストッパー１６４と、スリット１６５ａにより拡股可能な係止レグ１６５とを備えるアウタ部材１６６とで構成されている。図１４Ａに示すように、前記アウタ部材１６６にインナー部材１６２を装着し、上記設置孔１６３ａへアウタ部材１６６の係止レグ１６５を顎状ストッパ１６４に当たるまで挿入して嵌着し、図１４Ｂに示すように、インナ部材１６２の笠状ヘッド１６１を叩くと、インナ部材１６２の筒体１６０が設置孔１６３ａを貫通しアウタ部材１６６の係止レグ１６５が拡股されてデッキプレート１６３を挟み込むことで、吊り金具１６をデッキプレート１６３へ取り付ける（図１４Ｃ）ことが記載されている。
【先行技術文献】
【特許文献】
【０００４】
【特許文献１】実公昭６１−２７３８３号公報
【特許文献２】特開２００６−２６９１６号公報
【発明の概要】
【発明が解決しようとする課題】
【０００５】
上記の特許文献１、２に開示された先行技術には、下記の幾つかの問題点がある。
先ず、特許文献１記載の吊り金具１５は、図１２に示す通り吊り金具１５を構成する吊り部１５０の基端がデッキプレート１５３の上面へ突出している。しかも、図示例では、デッキプレート１５３の凸部（山部）に吊り金具１５が取り付けられている。したがって、特にデッキプレートの上にコンクリートを打設しない乾式屋根においては、デッキプレート１５３の上面に断熱材や防水シートなどの屋根部材が設置されるが、その際に、ボルトが邪魔で設置することが困難になるし、ボルトを切るのは非常に面倒である。
更に、吊り金具１５は、ボルト接合せず単に締結部１５２の収縮により固定する構成である。つまり、上下方向の拘束力のみ期待した構成である。したがって、乾式屋根の場合にはコンクリート打設が無いため、水平方向の揺れや振動に対する拘束力が弱いため大きな揺れが生じた際には不安定になる。
【０００６】
また、特許文献２に開示された吊り金具の取付構造は、吊り金具１６をその笠状ヘッド１６１を叩き込んでデッキプレート１６３へ取り付けるため、デッキプレート１６３の上面へ吊り金具１６の部材が突出する虞がない点は認められる。しかし、この吊り金具１６の固定は、単に叩き込みによりデッキプレート１６３を挟む構成であるため固定力に乏しい。したがって、吊り金具１６の取付後、同吊り金具１６の筒体１６０内へ天井部材の吊りボルトをねじ込む際に、共回りが生じてしまう。この共回りを防止するため、吊り金具１６をビス止めなどにより固定する面倒な作業が必要となっていた。
以上、特許文献１、２の問題点を挙げたが、要するに乾式屋根におけるデッキプレートと吊り金具の効果的な取付構造及び取付方法は開示されていない。
【０００７】
本発明の目的は、乾式屋根を構成するデッキプレートへ吊り金具を効果的に取付ける構造及びその取付方法を提供することであり、特にデッキプレートの凹溝に取付ける吊り金具が屋根部材の設置作業に支障をきたすことが無く、吊り金具をデッキプレートへ簡易な方法で確実に取り付けられて、共回りを防止できる吊り金具の取付構造及びその取付方法を提供することである。
【課題を解決するための手段】
【０００８】
上記課題を解決するための手段として、請求項１に記載した発明に係る吊り金具の取付構造は、
デッキプレートの上にコンクリートを打設しない屋根構造について、デッキプレートに設置孔を明けて天井部材を吊り下げ支持する吊り金具を取り付ける、吊り金具の取付構造であって、
前記デッキプレートには、上向きに開口する凹溝が底部と同底部の両端部から上方へ起立する側面部とで構成され、同底部には設置孔が設けられており、
前記吊り金具は、前記天井部材を連結するネジ部を有する吊り部と、同吊り部の頂部と連結され水平方向へ延びる水平拡張部と、同水平拡張部の左右端に前記凹溝の側面部と当接する支持部とで成ること、
上記吊り金具は、その吊り部が前記デッキプレートの凹溝の底部に設けられた設置孔へ上方位置から挿入されてデッキプレートの下方へ突き出され、前記支持部が凹溝の両側面部と当接する状態で取り付けられることを特徴とする。
【０００９】
請求項２記載の発明は、請求項１に記載した吊り金具の取付構造において、
デッキプレートの凹溝は、その側面部が下方に向かって拡幅する形状に傾斜されており、吊り金具の水平拡張部の左右端部に設けられた両支持部は、凹溝の底部側の幅広な側面部へ当接される当接部と、凹溝の開口側の減幅な側面部の幅以下となる導入部とが形成されていることを特徴とする。
【００１０】
請求項３記載の発明は、請求項１に記載した吊り金具の取付構造において、
デッキプレートの凹溝は、その側面部が下方に向かって減幅する形状に傾斜されており、吊り金具の支持部は、前記傾斜する側面部に沿って起立する羽根部を備えることを特徴とする。
【００１１】
請求項４に記載した発明に係る吊り金具の取付方法は、
デッキプレートの上にコンクリートを打設しない屋根構造について、デッキプレートに設置孔を明けて天井部材を吊り下げ支持する吊り金具を取り付ける、吊り金具の取付方法であって、
前記デッキプレートは、上向きに開口する凹溝が底部と同底部の両端部から上方へ起立する側面部とで構成され、同底部には設置孔を設けており、
前記吊り金具は、前記天井部材を連結するネジ部を有する吊り部と、同吊り部の頂部と連結され水平方向へ延びる水平拡張部と、同水平拡張部の左右端には凹溝の底部側の幅広な側面部へ当接される当接部と、凹溝の開口側の減幅な側面部の幅以下となる導入部とを有する支持部とで成り、
上記吊り金具は、その吊り部を前記デッキプレートの凹溝の底部に設けた設置孔へ上方位置から挿入し、前記水平拡張部を吊り部を中心に水平回動させて、その支持部の当接部が凹溝の側面部に当接する状態に取り付けていることを特徴とする。
【発明の効果】
【００１２】
請求項１〜４に記載した吊り金具の取付構造及びその取付方法は、以下の効果を奏する。
（１）本発明の乾式屋根を構成するデッキプレートは、上向きに開口する凹溝が底部と同底部の両端部から上方へ起立する側面部とで構成され、同底部には設置孔が設けられている。また、吊り金具は、前記天井部材を連結するネジ部を有する吊り部と、同吊り部の頂部と連結され水平方向へ延びる水平拡張部と、同水平拡張部の両端に前記凹溝の側面部と当接する支持部とで構成されている。
上記吊り金具は、その吊り部を前記デッキプレートの凹溝の設置孔へ上方位置から挿入して、同水平拡張部を吊り部を中心に水平回動させると、前記支持部が凹溝の両側面部と当接状態となり、凹溝に取り付けられる構造である。
したがって、この取付構造及び取付方法は、デッキプレートの上面へ部材が突出することが一切無い。つまり、吊り部の頂部には、水平拡張部が設けられているため、天井部材が吊り金具の上方へ突出することが一切なくフラットな上面を実現できる。よって、デッキプレートの屋根側面に屋根材を設置する際に天井部材や吊り金具が支障を及ぼすことがなくデッキプレートの上にコンクリートを打設しない乾式屋根において有効な取付構造及び取付方法である。また、吊り金具は、その支持部が凹溝の両側面部と当接状態に取り付けられてきっちり固定する構成であるため、面倒なボルト接合やたたき込み作業及びビス止め作業をせず非常に簡易な方法で取り付けることが可能である。
【００１３】
（２）また、請求項３の発明によれば、デッキプレートの凹溝が、その側面部が上方に向かって拡幅する形状に傾斜されている場合、吊り金具の支持部は、前記傾斜する側面部に沿って起立する羽根部を備えた構造とされている。したがって、吊り金具の吊り部を上記設置孔へ単に挿入するだけで、凹溝の側面部に吊り金具の羽根部がしっかりと嵌め合わされるので非常に取付作業が簡単となるし、天井部材を吊り部へ螺着する際、共回することを確実に防止できる。
【００１４】
（３）更に、請求項２及び４の発明によれば、デッキプレートの凹溝は、その側面部が上方に向かって減幅する形状に傾斜されており場合、吊り金具の水平拡張部の左右端部に設けられた両支持部は、凹溝の底部側の幅広な側面部に当接される当接部と、凹溝の開口側の減幅な側面部の幅以下となる導入部とが形成される構造とされている。したがって、吊り金具の吊り部を凹溝の底部に設けた設置孔へ上方位置から挿入し、前記水平拡張部を吊り部を中心に水平回動させるのみで、その支持部の当接部が凹溝の底部側の側面部にしっかり当接されて取り付けられる。また、凹溝は上方に向かって減幅しているので、一旦取り付けられると、吊り金具が凹溝から抜け外れる虞が無く、天井部材を螺着する際に共回りを防止できるし、浮き上がりを防止することができる。
【図面の簡単な説明】
【００１５】
【図１】本発明に係る吊り金具の取付構造を示す側面図である。
【図２】吊り金具の平面図と正面図をデッキプレートの平面図と併せてその関係を概略的に示した図である。
【図３】吊り金具をデッキプレートへ取り付ける概要を示す平面図である。（デッキプレートの端面は側面図で示す）
【図４】本発明に係る吊り金具の取付構造及びその取付方法を実施し乾式屋根を完成させた状態の一例を示した側面図である。
【図５】図２に示した吊り金具の水平拡張部の異なる形状を示した平面図である。
【図６】本発明の実施例２の取付構造を示す側面図である。
【図７】Ａは、図６の実施例の吊り金具の平面図である。ＢはＡの側面図である。
【図８】本実施例２を実施した平面図を示している。（デッキプレートの端面は側面図で示す）
【図９】本発明の実施例３の取付構造を示す側面図である。
【図１０】Ａは、図９の実施例の吊り金具の平面図である。ＢはＡの側面図である。
【図１１】本実施例３を実施した平面図を示している。（デッキプレートの端面は側面図で示す）
【図１２】Ａ、Ｂは従来の吊り金具とデッキプレートの取付構造を示す参考図である。
【図１３】従来の吊り金具を示す参考図である。
【図１４】Ａ〜Ｃは図１３の吊り金具をデッキプレートへ取り付ける要領を示す参考図である。
【発明を実施するための形態】
【００１６】
本発明は、天井部材を吊り下げる吊り金具１を、乾式屋根を構成するデッキプレート２に設置孔２１ａを明けて取り付ける、デッキプレート２と吊り金具１の取付構造及び取付方法である。
前記デッキプレート２には、上向きに開口する凹溝２０が底部２１と同底部２１の両端部から上方へ起立する側面部２２とで構成され、同底部２１には設置孔２１ａが設けられている。また、デッキプレート２の凹溝２０は、その側面部２２が下方に向かって拡幅する形状とされている。
前記吊り金具１は、前記天井部材３を連結するネジ部１０ｂを有する吊り部１０と、同吊り部１０の頂部と連結され水平方向へ延びる水平拡張部１１と、同水平拡張部１１の両端に前記凹溝２０の側面部２２と当接する支持部１２とで成る。
同支持部１２は、凹溝２０の底部側Ｔの幅広な側面部２２へ当接される当接部１２ａと、凹溝２０の開口側Ｋの減幅な側面部２２の幅以下となる導入部１２ｂとに形成されている。
上記吊り金具１は、その吊り部１０を前記デッキプレート２の凹溝２０の底部２１に設けられた設置孔２１ａへ上方位置から挿入してデッキプレート２の下方へ突き出され、同水平拡張部１１を吊り部１０を中心に同吊り部１０へ吊りボルト６が螺着する方向へ水平回動されて、前記支持部１２が凹溝２０の両側面部２２と当接する状態に取り付けている。
【実施例１】
【００１７】
以下に、本発明を図示した実施例に基づいて説明する。
本発明は、図１、４に示すように、デッキプレート２の上面にコンクリートを打設しない所謂乾式屋根に好適に実施できるものである。更に、天井部材３を吊り下げる吊り金具１を乾式屋根を構成するデッキプレート２の屋根側から取り付け可能な取付構造及びその取付方法である。
【００１８】
先ず、上記吊り金具１が取り付けられるデッキプレート２について説明する。
前記デッキプレート２は、波形鋼板であり上向き開口溝２Ｕと下向き開口溝２Ｄが交互に形成されるものである。本実施例では、特に下向き開口溝２Ｄの水平上面の中央部に形成される上向きに開口する凹溝２０を有するデッキプレート２を対象としており、同凹溝２０に前記吊り金具１が取り付けられる点を説明する。したがって、凹溝２０のみ説明しその他の開口溝については特に説明しない。
前記凹溝２０は、 底部２１と同底部２１の両端部から上方へ起立する側面部２２とで構成され、同底部２１の各所に後述の吊り金具１の吊り部１０を挿入する設置孔２１ａが設けられている。図示例の凹溝２０は、その側面部２２が下方に向かって拡幅する末広がり形状に傾斜されている。
【００１９】
次に、本発明の吊り金具１について説明する。
前記吊り金具１は、図１、図２に示すように、下方に前記吊りボルト６を挿入する開口部１０ａを有し、その内周面に前記天井部材３を連結するネジ部１０ｂである雌ねじが形成された鞘形状の吊り部１０と、同吊り部１０の頂部と連結され水平方向へ延びる水平拡張部１１と、同水平拡張部１１の両端に前記凹溝２０の側面部２２と当接する支持部１２とで構成されている。
前記吊り部１０は、天井部材３の吊りボルト６の連結と鞘内への収納が可能な縦断面がコ字形状に形成されている。したがって、吊りボルト６を開口部１０ａから挿入してねじ込んでも吊り部１０内に収まり同ボルトが上方へ突出することが無い。
また、吊り部１０は、鞘形状の限りではなく、棒形状としその外周面にネジ部１０ｂとして雄ねじを形成されたものも同様に実施できる。
【００２０】
前記水平拡張部１１は、図２、図３が示すように、吊り部１０の頂部中心から竹とんぼ羽根の如く水平方向に延びている。
また、水平拡張部１１の左右端部には、それぞれ上記凹溝２０の底部側Ｔの側面部２２と当接される支持部１２が形成されている。図示した支持部１２は、その中心を通る対角線Ｐ上の片側隅部がＲ形状に湾曲して長さに変化が付けられている。Ｒ形状に湾曲しない当接部１２ａから吊り部１０の中心までのそれぞれの長さは、凹溝２０の底部側Ｔ−Ｔ間の幅広な側面部２２へ当接される長さ（例えば図２参照）とされ、当然の如く凹溝２０の開口側Ｋ−Ｋ間の側面部２２の幅以上の長さとなる。また、Ｒ形状に湾曲された導入部１２ｂは、凹溝２０の開口側Ｋ−Ｋ間の減幅な側面部２２の幅以下となる長さに形成されている。
【００２１】
図示例では、片隅がＲ形状に湾曲する支持部１２を示したがこの限りではなく、図５に示すように段部を形成してもよい、要するに当接部と導入部を有する構成であれば良い。
上記のように支持部１２に当接部１２ａと導入部１２ｂを設ける理由は、詳しくは後述するが、吊り金具１を上記末広がりの形状の凹溝２０の底部２１内へ設置する際、吊り金具１が取付けやすく外れ難い形状である必要があるが、上記のように導入部１２ｂが対角線Ｐ上に設けられているため、吊り金具１を凹溝２０の底部２１へ載置した後、水平拡張部１１を水平回動する際にスムーズに回転し、取付後は同水平拡張部１１の当接部１２ａが凹溝２０の底部側Ｔの幅広な側面部２２に確実に当接し、開口側Ｋの側面部２２は幅狭に形成されているため吊り金具１が抜け外れる虞がないのである。
【００２２】
上記構成の吊り金具１とデッキプレート２は、デッキプレート２の凹溝２０の設置孔２１ａへ吊り金具１の吊り部１０をデッキプレートの上方から挿入し、凹溝２０の下方へ突出させ、同吊り金具１の水平拡張部１１を吊り部１０を中心に同吊り部１０へ吊りボルト６が螺着する方向へ水平回動させて、前記水平拡張部１１の左右端部の両支持部１２を凹溝２０の底部側Ｔの拡幅の両側面部２２へ当接する状態に取り付けられている。
【００２３】
しかる後に、図４に示すように、デッキプレート２の上面に断熱材４と防水シート５などの屋根部材を設置すると共に、前記吊り金具１の吊り部１０の開口部１０ａへ天井部材３の吊りボルト６を挿入して乾式屋根を構築する。
したがって、本発明の取付構造は、吊り金具１を取付後の屋根側面が図示のとおり天井部材３の吊りボルト６の突出や吊り金具１の突出が一切無いフラットな上面であるため、断熱材４や防水シート５の設置作業を効率良く行うことができるし、取付作業は吊り金具１を単に水平回動させて上記支持部１２を側面部２２へ当接させるのみで行えるので非常に簡単である。
【００２４】
次に、吊り金具１をデッキプレート２へ取り付ける取付方法を、図３から詳しく説明する。
先ず、図３の上段に示すように、吊り金具１の吊り部１０を、デッキプレート１の屋根側から凹溝２０の設置孔２１ａへ挿入する。その際、吊り金具１の水平拡張部１１が、凹溝２０の長さ方向（溝方向）に対して略水平となるように挿入し、その下面を凹溝２０の底部２１に載置する。
そして、この状態で図３の中段に示すように、前記水平拡張部１１を吊り部１０を中心に水平回動させて、支持部１２と凹溝２０の側面部２２とをきっちり嵌め合わせる。
上記したように水平拡張部１１の左右の各支持部１２には当接部１２ａと導入部１２ｂとがそれぞれ対角線上に設けられているため、水平拡張部１１を左に水平回動させると、支持部１２のうち底面側Ｔの側面部２２に最初に近接するのは、開口側Ｋ−Ｋ間の幅以下の長さとした対角線上に位置する導入部１２ｂ、１２ｂであるため、側面部２２と十分な隙間を保持して接触することが無くスムーズに回転させることができる。しかし、一旦上記両支持部１２、１２を上記側面部２２、２２へ当接させて吊り金具１を凹溝２０へ取り付けると、前記支持部１２の当接部１２ａは、凹溝２０の底部側Ｔの幅広な側面部２２へしっかりと当接され、且つ前記凹溝２０の開口側Ｋの側面部２２の開口幅を超える長さであるため、凹溝２０から吊り金具１が抜け外れることがない。
この後、屋根材（断熱材４、防水シート５）が設置され、吊り金具１の吊り部１０へ吊りボルト６がねじ込まれ天井部材３が組み立てられる。因みに、凹溝２０は幅約４０ｍｍであるので、人間の足の横幅より狭く、凹溝２０が屋根材を設置する際の歩行の妨げにならない。
要するに、吊り金具１は凹溝２０の底部２１へ載置後吊り部１０へ吊りボルト６が螺着する方向へ水平回動するのみできっちりと取付られるので非常に簡単である。
【実施例２】
【００２５】
本発明は上記した実施例１の限りではなく、図６〜図８に示す実施例２も同様の技術的思想に基づいて実施できる。したがって、以下、実施例１との相違点を中心に説明する。
実施例２において使用するデッキプレート７は、やはり上向きに開口する凹溝７０が設けられており、その側面部７２は下方に向かって減幅する形状に傾斜される点が実施例１と異なる。底部７１に設置孔７１ａが設けられる点は同じである。
上記構成のデッキプレート７の上向きに開口する凹溝７０へ取り付ける吊り金具８は、実施例１に示したものと略同様の吊り部８０と水平拡張部８１を有するが、水平拡張部８１の左右端部に設けられる支持部８２には、前記凹溝７０の傾斜する側面部７２に沿って起立する羽根部８２が備えられている。
【００２６】
この吊り金具８の取付方法としては、下方に向かって減幅する凹溝７０の設置孔７１ａへその吊り部８０を挿入すれば、支持部８２が凹溝７０の底部側の側面部７２にしっかりと当接されて固定されるので取付作業の効率が飛躍的に向上する。因みにこの後、屋根材（断熱材４、防水シート５）が設置され、吊り金具８の吊り部８０へ吊りボルト６がねじ込まれることは上述したとおりである。
また、支持部８２には側面部８２に沿って起立する羽根部８２が備えられたので、天井部材３の吊りボルト６を螺着する際の共回りを確実に防止できる。
なお、図１３に示すアウタ部材１６６などを用いて浮き上がりを防止させることも好適に実施される
【実施例３】
【００２７】
本発明は、実施例１、２に示した限りではなく図９〜１１に示す実施例３も同様の技術的思想に基づいて実施できる。したがって、以下に、実施例２との相違点を中心に説明する。
実施例３は、本実施例のデッキプレート２の凹溝が上向きに開口し、下方に向かって減幅する形状に傾斜される点は実施例２と同じであるが、その溝内の深さと幅が小径である点が相違する。
上記小径の凹溝７０’に取り付けられる吊り金具８’は、基本的に図７Ａ、Ｂに示した吊り金具８と同じく、凹溝７０’の側面部７２’の傾斜に沿って起立する支持部８２’（羽根部８２）を有している。相違する点は、図１０Ａに示すように水平拡張部８１’を平面に見た縦横比であり、実施例２（図７Ａ）に比して、平面視の縦の比率が高くなっている。これは、凹溝７０’が小径であるため、天井部材３の吊りボルト６を吊り金具８’の吊り部８０’へ螺着した際に共回りする力に抵抗するのに必要な長さである。また、同様の趣旨で吊り金具８’の支持部８２’の高さは凹溝７０’の深さと略同様としている（図９参照）。
【００２８】
以上に本発明を図示した実施例１〜３に基づいて説明したが、本発明は、上記実施例の構成に限定されない。その目的と要旨を逸脱しない範囲において、当業者が必要に応じて行う設計変更、応用のバリエーションの範囲を含むことを念のため言及する。
【符号の説明】
【００２９】
１、８、８’        吊り金具
１０、８０、８０’  吊り部
１１、８１、８１’  水平拡張部
１２、８２、８２’  支持部（羽根部）  
２、                デッキプレート
２０、７０、７０’  凹溝
２１、７１、７１’  底部
２１ａ、７１ａ、７１ａ’設置孔
２２、７２、７２’  側面部
３                  天井部材
４                  断熱材
５                  防水シート
６                  吊りボルト
【図１】
2013083094.tif 000003
【図２】
2013083094.tif 000004
【図３】
2013083094.tif 000005
【図４】
2013083094.tif 000006
【図５】
2013083094.tif 000007
【図６】
2013083094.tif 000008
【図７】
2013083094.tif 000009
【図８】
2013083094.tif 000010
【図９】
2013083094.tif 000011
【図１０】
2013083094.tif 000012
【図１１】
2013083094.tif 000013
【図１２】
2013083094.tif 000014
【図１３】
2013083094.tif 000015
【図１４】
2013083094.tif 000016